(57)【要約】【課題】  蓋体の開閉操作性が良い蓋開閉装置および電子機器を提供する。【解決手段】  機器ケース１に設けられた記録紙収納部７を開閉可能に塞ぐプリンタカバー９と、機器ケース１に取り付けられて外部に露出する操作部材１３と、記録紙収納部７を塞いだ状態のプリンタカバー９をロックし、且つ操作部材１３の回転操作によってプリンタカバー９に対するロックを解除した際に、プリンタカバー９を開く方向に押し上げるロック部材１４とを備えている。従って、プリンタカバー９が記録紙収納部７を塞いだ際に、プリンタカバー９をロックすることができ、またプリンタカバー９を開く際に、プリンタカバー９に対するロックを解除してプリンタカバー９を開く方向に押し上げることができる。このため、操作部材１３を回転操作するだけの簡単な操作で、プリンタカバー９のロック解除操作とプリンタカバー９の開操作とを一連の動作として連続させることができる。【選択図】        図４
2013157465.tif 000002
【特許請求の範囲】
【請求項１】
機器ケースに回転可能に取り付けられ、前記機器ケースに設けられた収納部を開閉可能に塞ぐ蓋体と、
前記機器ケースに回転操作可能に取り付けられ、前記機器ケースの外部に露出する操作部材と、
前記収納部を塞いだ状態の前記蓋体をロックし、且つ前記操作部材の回転操作によって前記蓋体に対するロックを解除した際に、前記蓋体を開く方向に押し上げるロック部材と
を備えていることを特徴とする蓋開閉装置。
【請求項２】
請求項１に記載の蓋開閉装置において、前記ロック部材は、前記操作部材の回転操作によって回転する連動回転部と、この連動回転部に設けられて前記蓋体が前記収納部を塞いだ状態のときに前記蓋体の係合部に係合して前記蓋体をロックするロック部と、前記連動回転部に設けられて前記蓋体に対する前記ロック部によるロックが解除された際に前記蓋体を開く方向に押し上げる押上げ部とを備えていることを特徴とする蓋開閉装置。
【請求項３】
請求項２に記載の蓋開閉装置において、前記蓋体の前記係合部は前記蓋体の開閉方向に対し直交する方向に開放されて設けられた溝部を有し、前記ロック部は前記係合部の前記溝部に挿入して前記蓋体を押し下げる突起部であり、前記押上げ部は前記ロック部が前記溝部から離脱した際に前記操作部材の回転操作によって前記係合部を押し上げる突起部であることを特徴とする蓋開閉装置。
【請求項４】
請求項１〜請求項３のいずれかに記載の蓋開閉装置において、前記蓋体の外周縁部とこの外周縁部が対向する前記収納部の周縁部との一方には、前記蓋体が前記収納部を塞いだ状態のときに、前記蓋体の外周縁部とこの外周縁部が対向する前記収納部の周縁部との他方に弾接する防水パッキンが設けられていることを特徴とする蓋開閉装置。
【請求項５】
請求項１〜請求項４のいずれかに記載の蓋開閉装置において、前記操作部材は、前記機器ケースに回転可能に取り付けられて前記ロック部材を回転させるための操作回転部と、前記機器ケースの外部に露出して前記操作回転部を回転させる操作レバー部とを備えていることを特徴とする蓋開閉装置。
【請求項６】
請求項５に記載の蓋開閉装置において、前記操作部材の前記操作回転部は、前記収納部の両側に位置する前記機器ケースの側面に回転可能に設けられた回転軸と、この回転軸に設けられて前記ロック部材の前記連動回転部に前記操作レバー部の回転操作を伝える回転伝達部とを有しており、前記操作レバー部は、一端部が前記操作回転部の前記回転軸に取り付けられ、他端部が前記蓋体の回転中心に向けて突出した状態で上下方向に回転移動することを特徴とする蓋開閉装置。
【請求項７】
請求項１に記載された蓋開閉装置を備えていることを特徴とする電子機器。
【発明の詳細な説明】
【技術分野】
【０００１】
この発明は、携帯情報端末機や小型電子式計算機などの電子機器に用いられる蓋開閉装置およびそれを備えた電子機器に関する。
【背景技術】
【０００２】
例えば、プリンタを備えた携帯型の電子機器においては、特許文献１に記載されているように、機器ケースに設けられた記録紙収納部をプリンタカバーである蓋体で開閉可能に塞ぐ蓋開閉装置を備えたものが知られている。
【先行技術文献】
【特許文献】
【０００３】
【特許文献１】特開２００７−２１０１３３号公報
【０００４】
この種の蓋開閉装置は、蓋体の一端部が機器ケースに回転可能に取り付けられ、この蓋体の回転中心と反対側に位置する蓋体の他端部に、機器ケース内の印字ヘッドに接離可能に対面するプラテンローラが回転軸によって回転自在に取り付けられ、蓋体が記録紙収納部を塞いで閉じる際に、プラテンローラの回転軸が機器ケースに設けられた係止溝に係止されるように構成されている。
【０００５】
この場合、機器ケースには、係止溝内に弾力的に突出する板ばね状のフック部が設けられている。これにより、この蓋開閉装置は、蓋体が記録紙収納部を塞いで閉じる際に、プラテンローラの回転軸がフック部の弾力に抗して係止溝に挿入すると、フック部が弾性復帰して回転軸を係止溝内に係止することにより、蓋体を閉じた状態でロックするように構成されている。
【０００６】
しかしながら、このような蓋開閉装置では、板ばね状のフック部の弾性力が弱いと、使用中にプラテンローラの回転軸が機器ケースの係止溝から外れて、蓋体が開いてしまう恐れがあり、また板ばね状のフック部の弾性力が強いと、蓋体を開く際に、プラテンローラの回転軸を機器ケースの係止溝から簡単に抜き出すことができないため、蓋体の開閉操作が容易にできないという問題がある。
【発明の概要】
【発明が解決しようとする課題】
【０００７】
そこで、このような問題を解消するため、前述した特許文献１の蓋開閉装置では、機器ケースに操作レバーを回転可能に取り付け、この操作レバーにロック爪を設け、操作レバーを回転操作してロック爪を機器ケースの係止溝内に出没可能に挿入させることにより、プラテンローラの回転軸をロック爪によって機器ケースの係止溝内に係止するように構成したものも開発されている。
【０００８】
このような蓋開閉装置では、蓋体を開く際に、操作レバーを回転操作してロック爪を機器ケースの係止溝内から離脱させて、機器ケースの係止溝内に挿入されたプラテンローラの回転軸のロックを解除し、この状態で蓋体を開く方向に回転させることにより、回転軸を係止溝内から引き出して蓋体を開くことができる。
【０００９】
しかしながら、このような操作レバーを有する蓋開閉装置では、蓋体を開く際に、操作レバーを回転操作してロック爪によるプラテンローラの回転軸に対するロックを解除しただけでは蓋体が開かないため、ロックを解除した状態で、蓋体を開く方向に回転させて回転軸を係止溝内から引き出さなければ、蓋体を開くことができない。すなわち、ロック解除操作と蓋体を開く蓋体の開操作とが別々の操作であるから、蓋体の開閉操作が面倒で、蓋体の開閉操作性が悪いという問題がある。
【００１０】
この発明が解決しようとする課題は、蓋体の開閉操作性が良い蓋開閉装置および電子機器を提供することである。
【課題を解決するための手段】
【００１１】
この発明は、機器ケースに回転可能に取り付けられ、前記機器ケースに設けられた収納部を開閉可能に塞ぐ蓋体と、前記機器ケースに回転操作可能に取り付けられ、前記機器ケースの外部に露出する操作部材と、前記収納部を塞いだ状態の前記蓋体をロックし、且つ前記操作部材の回転操作によって前記蓋体に対するロックを解除した際に、前記蓋体を開く方向に押し上げるロック部材とを備えていることを特徴とする蓋開閉装置である。
【発明の効果】
【００１２】
この発明によれば、蓋体が収納部を塞いで閉じた際に、ロック部材によって蓋体をロックすることができ、また蓋体を開く際に、操作部材を回転操作することにより、蓋体に対するロック部材によるロックを解除して蓋体を開く方向に押し上げることができる。このため、操作部材を回転操作するだけの簡単な操作で、ロック部材による蓋体のロック解除操作と蓋体の開操作とを一連の動作として連続させることができる。  
【図面の簡単な説明】
【００１３】
【図１】この発明を携帯情報端末機に適用した一実施形態を示した斜視図である。
【図２】図１に示された携帯情報端末機においてプリンタカバーに対するロックが解除されてプリンタカバーが機器ケース上に押し上げられた状態を示した斜視図である。
【図３】図２に示された携帯情報端末機においてプリンタカバーを開いて機器ケース上に起立させた状態を示した斜視図である。
【図４】図１に示された携帯情報端末機における蓋開閉装置を示し、（ａ）はプリンタカバーが閉じた状態における蓋開閉装置の要部を示した拡大側面図、（ｂ）はその状態において機器ケース内に位置する蓋開閉装置の要部を示した拡大断面図である。
【図５】図４に示された携帯情報端末機において操作部材を回転操作してロック部材によるプリンタカバーのロックを解除したアンロック状態の蓋開閉装置を示し、（ａ）はそのアンロック状態における蓋開閉装置の要部を示した拡大側面図、（ｂ）はそのアンロック状態において機器ケース内に位置する蓋開閉装置の要部を示した拡大断面図である。
【図６】図５に示された携帯情報端末機において操作部材を更に回転操作してロック部材がプリンタカバーを少し押し上げた状態の蓋開閉装置を示し、（ａ）はその状態における蓋開閉装置の要部を示した拡大側面図、（ｂ）はその状態において機器ケース内に位置する蓋開閉装置の要部を示した拡大断面図である。
【図７】図６に示された携帯情報端末機においてプリンタカバーを開いて機器ケース上に起立させた状態の蓋開閉装置を示し、（ａ）はその状態における蓋開閉装置の要部を示した拡大側面図、（ｂ）はその状態において機器ケース内に位置する蓋開閉装置の要部を示した拡大断面図である。
【発明を実施するための形態】
【００１４】
以下、図１〜図７を参照して、この発明を携帯情報端末機に適用した一実施形態について説明する。
この携帯情報端末機は、図１〜図３に示すように、機器ケース１を備えている。この機器ケース１は、上部ケース２および下部ケース３を備えている。
【００１５】
この機器ケース１は、図１〜図３に示すように、全体が縦方向（図１では左右方向）に長いほぼ長方形の箱形状に形成されている。この場合、機器ケース１は、その手前側（図１では左側）が幅の狭い握り部１ａに形成され、先端側（図１では右側）が幅の広いプリンタ搭載部１ｂに形成された構成になっている。この機器ケース１の上部ケース２における握り部１ａには、入力表示部４とキー入力部５とが設けられている。
【００１６】
入力表示部４は、表示パネルの表面に透明なタッチパネルを配置したものであり、表示パネルに表示された情報が透明なタッチパネルを通して見え、この表示された情報を見ながらタッチパネルをタッチ操作することにより、情報が入力されるように構成されている。また、キー入力部５は、テンキー、ファンクションキーなどの各種のキーを備え、キー操作によって情報が入力されるように構成されている。
【００１７】
また、この機器ケース１の上部ケース２におけるプリンタ搭載部１ｂには、図１〜図４に示すように、プリンタ部６が設けられている。このプリンタ部６は、プリンタ搭載部１ｂにおける機器ケース１内に設けられた記録紙収納部７と、この記録紙収納部７に収納された記録紙（図示せず）を順次引き出しながら情報を印字する印字ヘッド８と、記録紙収納部７を開閉可能に塞ぐプリンタカバー９とを備えている。
【００１８】
記録紙収納部７は、図１〜図４に示すように、機器ケース１内にほぼ半円弧状の凹部形状に形成され、その内部にロール状の記録紙（図示せず）を回転可能な状態で収納するように構成されている。この場合、上部ケース２には、記録紙挿入口２ａが記録紙収納部７に対応して設けられている。印字ヘッド８は、サーマルヘッドであり、図４（ｂ）に示すように、入力表示部４側に位置する機器ケース１内に記録紙収納部７に対面して設けられている。
【００１９】
プリンタカバー９は、図１〜図３に示すように、上側に向けてほぼ円弧状に湾曲して突出する湾曲面に形成されている。このプリンタカバー９の周縁部は、上部ケース２の記録紙挿入口２ａの外周に対応する枠状に形成されている。この場合、プリンタカバー９における枠状の周縁部には、印字ヘッド８側に位置する縁部、つまり後述する記録紙排出口２２に対応する箇所を除いて、防水パッキン９ａが設けられている。この防水パッキン９ａは、プリンタカバー９が記録紙収納部７を塞いで閉じた際に、上部ケース２の記録紙挿入口２ａの外周に弾接するように構成されている。
【００２０】
また、このプリンタカバー９における入力表示部４側に位置する端部の内面には、図３に示すように、プラテンローラ１０が回転可能に設けられている。このプラテンローラ１０は、図３および図４に示すように、プリンタカバー９が記録紙収納部７を塞いで閉じた際に、印字ヘッド８に接触もしくは接近した状態で配置されるように構成されている。これにより、印字ヘッド８は、これとプラテンローラ１０との間に記録紙が送り込まれ、この送り込まれた記録紙をプラテンローラ１０に押し付けながら情報を印字するように構成されている。
【００２１】
さらに、このプリンタカバー９は、図３に示すように、蓋開閉装置１１によって記録紙収納部７を開閉可能に塞ぐように構成されている。この蓋開閉装置１１は、図４〜図７に示すように、機器ケース１に対してプリンタカバー９を回転可能に支持する一対の回転支持軸１２と、機器ケース１に操作可能に取り付けられて機器ケース１の外部に露出する一対の操作部材１３と、記録紙収納部７を塞いだ際にプリンタカバー９をロックする一対のロック部材１４とを備えている。
【００２２】
一対の回転支持軸１２は、図３および図７に示すように、機器ケース１の長手方向に位置する端部の両側にそれぞれ設けられている。この回転支持軸１２は、ほぼＬ字形状に折り曲げられ、その一端部が機器ケース１に回転自在に取り付けられ、他端部がプリンタカバー９に回転自在に取り付けられた構成になっている。
【００２３】
すなわち、この回転支持軸１２は、図３および図７に示すように、その一端部が記録紙収納部７を挟んで印字ヘッド８と反対側に位置する機器ケース１内の端部に回転自在に取り付けられ、他端部がプラテンローラ１０と反対側に位置するプリンタカバー９の端部に回転自在に取り付けられた構成になっている。この場合、一対の回転支持軸１２が位置する機器ケース１の両側部には、回転支持軸１２が挿入する軸収納部１２ａが設けられている。
【００２４】
これにより、プリンタカバー９は、図３および図７に示すように、一対の回転支持軸１２を中心に回転して開く際に、一対の回転支持軸１２がプラテンローラ１０と反対側に位置するプリンタカバー９の端部を押し上げるように回転してプラテンローラ１０側に位置するプリンタカバー９の端部を上方に向けて回転移動させながら、回転支持軸１２側に位置する機器ケース１の端部上に起立した状態で開くように構成されている。
【００２５】
一対の操作部材１３は、図４〜図７に示すように、機器ケース１の両側部に回転可能に取り付けられた操作回転部１５と、機器ケース１の外部に露出して操作回転部１５を回転させる操作レバー部１６とを備えている。操作回転部１５は、図４〜図７に示すように、回転軸１５ａと回転伝達板１５ｂとを備え、回転軸１５ａが記録紙収納部７の両側に位置する機器ケース１の両側部にそれぞれ回転可能に取り付けられている。
【００２６】
この場合、回転軸１５ａは、図４〜図７に示すように、機器ケース１の側部に回転可能に取り付けられた状態で、外端部が機器ケース１の外部に突出し、内端部が機器ケース１内に突出している。この回転軸１５ａの内端部には、回転伝達板１５ｂが取り付けられている。また、回転軸１５ａの外端部には、操作レバー部１６が取り付けられている。これにより、回転軸１５ａは、操作レバー部１６の回転操作に応じて回転して回転伝達板１５ｂを回転させるように構成されている。
【００２７】
また、操作レバー部１６は、図１〜図３に示すように、ほぼ楕円形状に形成され、その一端部が操作回転部１５の回転軸１５ａの外端部に取り付けられ、これと反対側に位置する先端部１６ａがプリンタカバー９の回転中心である回転支持軸１２側に向けて突出した状態で配置され、この状態で先端部１６ａが上下方向に回転移動するように構成されている。
【００２８】
一対のロック部材１４は、図４〜図７に示すように、操作部材１３の回転操作によって回転する連動回転部１７と、この連動回転部１７に設けられてプリンタカバー９が記録紙収納部７を塞いだ状態のときにプリンタカバー９の係合部１８に係合してプリンタカバー９をロックするロック部２０と、連動回転部１７に設けられてプリンタカバー９に対するロック部２０によるロックが解除された際にプリンタカバー９を開く方向に押し上げる押上げ部２１とを備えている。
【００２９】
この場合、プリンタカバー９の両側には、図４〜図７に示すように、一対の係合部１８がロック部材１４に向けて突出して設けられている。この一対の係合部１８には、プリンタカバー９の開閉方向に対し直交する方向、つまり回転支持軸１２側に向けて開放された溝部１８ａが設けられている。連動回転部１７は、操作部材１３の伝達回転板１５ｂに取り付けられ、操作レバー部１６の回転操作に応じて回転するように構成されている。
【００３０】
また、ロック部２０は、図４〜図７に示すように、プリンタカバー９の開閉方向に対し直交する方向、つまり回転支持軸１２と反対側に向けて突出する突起部であり、連動回転部１７の外周部に設けられている。このロック部２０は、プリンタカバー９が記録紙収納部７を塞いだ際に、プリンタカバー９の係合部１８に設けられた溝部１８ａに挿入して係合部１８を引き下げることにより、プリンタカバー９を機器ケース１に押し付けるように構成されている。
【００３１】
すなわち、このロック部２０は、図６（ｂ）に示すように、操作レバー部１６が回転操作されてプリンタカバー９の係合部１８の溝部１８ａから離脱する際に、連動回転部１７と共に時計回りに回転しながら回転支持軸１２側に向けて移動して徐々に斜め下側に移動するように構成されている。また、このロック部２０は、図５（ｂ）に示すように、プリンタカバー９が閉じる際に、連動回転部１７と共に反時計回りに回転して徐々に上方に移動しながらプリンタカバー９の係合部１８の溝部１８ａに接近するように構成されている。
【００３２】
さらに、このロック部２０は、図４（ｂ）に示すように、プリンタカバー９が記録紙収納部７を塞いで完全に閉じる際に、連動回転部１７と共に反時計回りに回転しながら最上部に移動することにより、プリンタカバー９の係合部１８の溝部１８ａに挿入して係合部１８を引き下げて、プリンタカバー９を機器ケース１に押し付けるように構成されている。
【００３３】
一方、押上げ部２１は、図４〜図６に示すように、プリンタカバー９の開閉方向に対し直交する方向、つまり回転支持軸１２と反対側に向けて突出して設けられた突起部である。すなわち、この押上げ部２１は、連動回転部１７におけるロック部２０よりも回転軸１５ａ側に位置する箇所に、ロック部２０よりも突出長さが長く形成され、ロック部２０がプリンタカバー９の係合部１８の溝部１８ａに挿入して係合した際に、係合部１８の下側に接近した状態で配置されるように構成されている。
【００３４】
これにより、押上げ部２１は、図５（ｂ）および図６（ｂ）に示すように、プリンタカバー９を開く際に、操作部材１３の回転操作によって連動回転部１７が時計回りに回転してロック部２０が係合部１８の溝部１８ａから離脱すると、連動回転部１７の回転に伴って係合部１８を押し上げることにより、プリンタカバー９を開く方向に押し上げるように構成されている。
【００３５】
また、この押上げ部２１は、図４（ｂ）および図５（ｂ）に示すように、プリンタカバー９を閉じる際に、プリンタカバー９の係合部１８が上方から当接して押し下げられることにより、連動回転部１７を反時計回りに回転させ、ロック部２０を係合部１８の溝部１８ａに挿入させて係合させ、プリンタカバー９を機器ケース１に押し付けるように構成されている。
【００３６】
ところで、プリンタカバー９は、図１に示すように、記録紙排出口２２を開閉可能に塞ぐ排出カバー２３がスライド可能に取り付けられている。この場合、記録紙排出口２２は、印字ヘッド８によって印字された記録紙を機器ケース１の上方に排出するためのものであり、プリンタカバー９を閉じた際に、印字ヘッド８とプラテンローラ１０とが対面する箇所に対応してスリット形状に設けられている。
【００３７】
排出カバー２３は、図１に示すように、記録紙排出口２２よりも少し長い帯板状に形成され、プリンタカバー９上に機器ケース１の長手方向に沿ってスライド可能に取り付けられている。これにより、この排出カバー２３は、プリンタ部６を使用しないときに、入力表示部４側にスライドさせて記録紙排出口２２を塞ぐことにより、雨水などの水滴が記録紙排出口２２から機器ケース１内に浸入するのを防ぐように構成されている。
【００３８】
また、この排出カバー２３は、図１に示すように、プリンタ部６を使用する際に、入力表示部４と反対側にスライドさせて記録紙排出口２２を開放することにより、印字ヘッド８によって情報が印字された記録紙を記録紙排出口２２から機器ケース１の外部に排出させるように構成されている。
【００３９】
次に、このような携帯情報端末機におけるプリンタ部６の作用について説明する。
機器ケース１の入力表示部４に表示されている情報をプリンタ部６で記録紙に印字する場合には、まず、プリンタカバー９の排出カバー２３をスライドさせて記録紙排出口２２を開放する。このときには、プリンタカバー９が閉じた状態で、予め、印字ヘッド８とプラテンローラ１０との間に記録紙が配置されている。
【００４０】
この状態で、印字ヘッド８が印字を開始すると、入力表示部４に表示されている情報が１行ごとに記録紙に印字され、プラテンローラ１０が回転して印字された記録紙を記録紙排出口２２から順次送り出すと共に、記録紙収納部７に収納されているロール状の記録紙が印字ヘッド８とプラテンローラ１０との間に順次送り込まれ、この送り込まれた記録紙に次の情報が順次印字される。このようにして、記録紙に情報が印字される。
【００４１】
また、このプリンタ部６の記録紙収納部７に収納されている記録紙を交換する際には、機器ケース１の両側に露出している操作部材１３の操作レバー部１６を回転操作すると、図６（ａ）および図６（ｂ）に示すように、プリンタカバー９が開く。このときには、図４〜図６に示すように、操作レバー部１６の先端部１６ａを押し下げて操作回転部１５の回転軸１５ａを中心に操作レバー部１６を時計回りに回転させる。
【００４２】
すると、図４〜図６に示すように、操作レバー部１６の回転操作と共に操作回転部１５の回転伝達板１５ｂが回転し、この回転伝達板１５ｂの回転に伴ってロック部材１４の連動回転部１７が時計回りに回転し、ロック部２０がプリンタカバー９の係合部１８の溝部１８ａから離脱する。
【００４３】
すなわち、操作レバー部１６が図４（ａ）に示す状態から図５（ａ）に示す状態に回転すると、これに伴って連動回転部１７が回転し、この連動回転部１７の回転に伴ってロック部２０が時計回りに図４（ｂ）に示す状態から図５（ｂ）に示す状態に回転移動し、この回転移動したロック部２０がプリンタカバー９の係合部１８の溝部１８ａ内から離脱する。
【００４４】
そして、操作レバー部１６が更に回転し、図５（ａ）に示す状態から図６（ａ）に示す状態に回転すると、これに伴って連動回転部１７も更に回転し、この連動回転部１７に伴ってロック部材１４の押上げ部２１が時計回りに図５（ｂ）に示す状態から図６（ｂ）に示す状態に回転移動し、この回転移動した押上げ部２１がプリンタカバー９の係合部１８を押し上げる。
【００４５】
これにより、プリンタカバー９がロック部材１４の押上げ部２１によって押し上げられて回転支持軸１２を中心に開く方向に回転して機器ケース１上に浮き上がる。そして、この浮き上がったプリンタカバー９を引き上げて回転支持軸１２を中心に開く方向に回転させ、図３および図７に示すように、プリンタカバー９を機器ケース１上に起立させる。これにより、ロール状の記録紙を交換することができる。
【００４６】
また、記録紙を交換してプリンタカバー９を閉じる際には、図３および図７に示す状態で、回転支持軸１２を中心にプリンタカバー９を閉じる方向に回転させて、図６（ａ）および図６（ｂ）に示すように、プリンタカバー９を機器ケース１上に配置して記録紙収納部７を覆う。このときには、プリンタカバー９の係合部１８がロック部材１４の押上げ部２１に当接するので、プリンタカバー９が機器ケース１上に少し浮き上がった状態で配置される。
【００４７】
この状態で、プラテンローラ１０が位置する箇所のプリンタカバー９の端部を押し下げると、図５（ｂ）に示すように、ロック部材１４の押上げ部２１がプリンタカバー９の係合部１８によって押し下げられ、これに伴って連動回転部１７が操作部材１３の回転軸１５ａを中心に反時計回りに回転すると共に、図５（ａ）に示すように、操作部材１３の操作レバー部１６が反時計回りに回転する。
【００４８】
これにより、ロック部２０が連動回転部１７と共に回転移動して、図４（ｂ）に示すように、プリンタカバー９の係合部１８の溝部１８ａに挿入して係合する。このときには、ロック部２０がプリンタカバー９の係合部１８の溝部１８ａに挿入して係合部１８を押し下げる。このため、プリンタカバー９の周縁部が防水パッキン９ａを上部ケース１の記録紙挿入口２ａの周縁部に押し付けて、プリンタカバー９が記録紙収納部７を塞ぐ。また、このときには、図４（ａ）に示すように、操作部材１３の操作レバー部１６が反時計回りに回転して、操作レバー部１６の先端部１６ａが斜め上方に位置する。
【００４９】
このように、この携帯情報端末機におけるプリンタ部６の蓋開閉装置１１によれば、機器ケース１に回転可能に取り付けられ、機器ケース１に設けられた記録紙収納部７を開閉可能に塞ぐプリンタカバー９と、機器ケース１に回転操作可能に取り付けられ、機器ケース１の外部に露出する操作部材１３と、記録紙収納部７を塞いだ状態のプリンタカバー９をロックし、且つ操作部材１３の回転操作によってプリンタカバー９に対するロックを解除した際に、プリンタカバー９を開く方向に押し上げるロック部材１４とを備えていることにより、プリンタカバー９の開閉操作性を向上させることができる。
【００５０】
すなわち、このプリンタ部６の蓋開閉装置１１では、プリンタカバー９が記録紙収納部７を塞いで閉じた際に、ロック部材１４によってプリンタカバー９をロックすることができ、またプリンタカバー９を開く際に、操作部材１３を回転操作することにより、プリンタカバー９に対するロック部材１４によるロックを解除してプリンタカバー９を開く方向に押し上げることができる。
【００５１】
このため、この蓋開閉装置１１によれば、操作部材１３を回転操作するだけの簡単な操作で、ロック部材１４によるプリンタカバー９のロック解除操作とプリンタカバー９の開操作とを一連の動作として連続させることができる。これにより、プリンタカバー９の開閉操作性を向上させて開閉操作性の良いものを提供することができる。このため、この蓋開閉装置１１を備えた携帯情報端末機を屋外で使用する際に、ロール状の記録紙を落下させたりせずに、短時間で効率良く交換することができる。
【００５２】
この場合、ロック部材１４は、操作部材１３の回転操作によって回転する連動回転部１７と、この連動回転部１７に設けられてプリンタカバー９が記録紙収納部７を塞いだ状態のときにプリンタカバー９の係合部１８に係合してプリンタカバー９をロックするロック部２０と、連動回転部１７に設けられてプリンタカバー９に対するロック部２０によるロックが解除された際にプリンタカバー９を開く方向に押し上げる押上げ部２１とを備えていることにより、プリンタカバー９を開く際に、ロック部材１４によるプリンタカバー９のロック解除操作とプリンタカバー９の開操作とを一連の動作として連続させることができる。
【００５３】
すなわち、この蓋開閉装置１１では、プリンタカバー９を開く際に、操作部材１３の回転操作によってロック部材１４の連動回転部１７が回転すると、この連動回転部１７の回転に伴ってロック部２０が回転移動してプリンタカバー９の係合部１８に対するロックを解除することでき、この状態で連動回転部１７が更に回転すると、この連動回転部１７の回転に伴って押上げ部２１が回転移動してプリンタカバー９の係合部１８を押し上げてプリンタカバー９を開くことができるので、操作部材１３を回転操作するだけで、ロック部材１４によるプリンタカバー９のロック解除操作とプリンタカバー９の開操作とを一連の動作として連続させることができる。
【００５４】
また、この蓋開閉装置１１では、プリンタカバー９を閉じる際に、プリンタカバー９が記録紙収納部７を覆って機器ケース１上に配置されると、プリンタカバー９の係合部１８がロック部材１４の押上げ部２１に当接するので、この状態でプリンタカバー９の端部を押し下げると、ロック部材１４の押上げ部２１がプリンタカバー９の係合部１８によって押し下げられるので、連動回転部１７を回転させてロック部２０をプリンタカバー９の係合部１８に係合させることができ、これにより操作部材１３を操作することなく、プリンタカバー９を簡単に且つ確実にロックして閉じることができるので、プリンタカバー９の閉操作性が良い。
【００５５】
この場合、プリンタカバー９の係合部１８はプリンタカバー９の開閉方向に対し直交する方向に開放されて設けられた溝部１８ａを有し、ロック部２０は係合部１８の溝部１８ａに挿入してプリンタカバー９を押し下げる突起部であり、押上げ部２１はロック部２０が係合部１８の溝部１８ａから離脱した際に操作部材１３の回転操作によって係合部１８を押し上げる突起部であることにより、構造が簡単で、プリンタカバー９を確実に且つ良好に開閉することができる。
【００５６】
すなわち、この蓋開閉装置１１では、連動回転部１７の回転によってロック部２０をプリンタカバー９の係合部１８の溝部１８ａに挿入させて係合させることができ、これによりプリンタカバー９を確実にロックすることができ、また連動回転部１７の回転によってロック部２０をプリンタカバー９の係合部１８の溝部１８ａから離脱させてプリンタカバー９に対するロックを解除することができると共に、押上げ部２１によってプリンタカバー９の係合部１８を確実に押し上げてプリンタカバー９を良好に開くことができる。
【００５７】
また、この蓋開閉装置１１では、プリンタカバー９の外周縁部が対応する記録紙収納部７の周縁部に、プリンタカバー９が記録紙収納部７を塞いだ状態のときに、プリンタカバー９の外周縁部が弾接する防水パッキン９ａが設けられていることにより、ロック部２０がプリンタカバー９の係合部１８の溝部１８ａに挿入して係合した際に、プリンタカバー９の外周縁部を防水パッキン９ａに圧接させることができ、これにより記録紙収納部７の防滴性を確保することができる。
【００５８】
さらに、この蓋開閉装置１１では、操作部材１３が、機器ケース１に回転可能に取り付けられてロック部材１４を回転させるための操作回転部１５と、機器ケース１の外部に露出して操作回転部１５を回転させる操作レバー部１６とを備えているので、操作レバー部１６を回転操作するだけで、操作回転部１５を確実に回転させてロック部材１４を回転させることができ、これによりプリンタカバー９に対するロック部材１４によるロックを簡単に解除することができると共に、プリンタカバー９を確実に押し上げて良好に開くことができる。
【００５９】
この場合、操作部材１３の操作回転部１５は、記録紙収納部７の両側に位置する機器ケース１の側面に回転可能に設けられた回転軸１５ａと、この回転軸１５ａに設けられてロック部材１４の連動回転部１７に操作レバー部１６の回転操作を伝える回転伝達部１５ｂとを有しており、操作レバー部１６は、一端部が操作回転部１５の回転軸１５ａに取り付けられ、他端部がプリンタカバー９の回転中心である回転支持軸１２に向けて突出した状態で上下方向に回転移動することにより、操作部材１３の回転操作性が良く、ロック部材１４の連動回転部１７を確実に且つ良好に回転させることができる。
【００６０】
すなわち、操作部材１３は、操作レバー部１６の先端部１６ａがプリンタカバー９の回転中心である回転支持軸１２に向けて突出しているので、操作レバー部１６の回転操作性が良く、この操作レバー部１６を安定した状態で良好に回転操作することができ、これにより操作回転部１５の回転軸１５ａを確実に且つ良好に回転させることができると共に、回転伝達部１５ｂを回転させて、その回転をロック部材１４の連動回転部１７に確実に伝達することができる。これによっても、携帯情報端末機を屋外で使用する際に、ロール状の記録紙を落下させたりせずに、短時間で効率良く交換することができる。
【００６１】
このように、この携帯情報端末機によれば、プリンタカバー９が記録紙収納部７を塞いで閉じた際に、ロック部材１４によってプリンタカバー９をロックすることができ、またプリンタカバー９を開く際に、操作部材１３を回転操作することにより、プリンタカバー９に対するロック部材１４によるロックを解除してプリンタカバー９を開く方向に押し上げることができる。
【００６２】
このため、この携帯情報端末機では、操作部材１３を回転操作するだけの簡単な操作で、ロック部材１４によるプリンタカバー９のロック解除操作とプリンタカバー９の開操作とを一連の動作として連続させることができる。これにより、プリンタカバー９の開閉操作性を向上させて開閉操作性の良いものを提供することができる。
【００６３】
なお、上述した実施形態では、操作部材１３の操作レバー部１６の先端部１６ａをプリンタカバー９の回転支持軸１２側に向けた場合について述べたが、これに限らず、例えば操作レバー部１６の先端部１６ａをプリンタカバー９の回転支持軸１２と反対側に向けても良い。この場合には、プリンタカバー９の係合部１８の溝部１８ａを回転支持軸１２と反対側に向けて開放させ、ロック部材１４のロック部２０および押上げ部２１を回転支持軸１２側に向けて突出させれば良い。
【００６４】
また、上述した実施形態では、蓋開閉装置１１として、プリンタ部６のプリンタカバー９に適用した場合について述べたが、必ずしもプリンタ部６のプリンタカバー９に適用する必要はなく、例えば電池収納部の電池蓋にも適用することができる。
【００６５】
さらに、上述した実施形態では、携帯情報端末機に適用した場合について述べたが、必ずしも携帯情報端末機に適用する必要はなく、例えば小型電子式計算機などの電子機器にも適用することができる。
【００６６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６７】
（付記）
請求項１に記載の発明は、機器ケースに回転可能に取り付けられ、前記機器ケースに設けられた収納部を開閉可能に塞ぐ蓋体と、前記機器ケースに回転操作可能に取り付けられ、前記機器ケースの外部に露出する操作部材と、前記収納部を塞いだ状態の前記蓋体をロックし、且つ前記操作部材の回転操作によって前記蓋体に対するロックを解除した際に、前記蓋体を開く方向に押し上げるロック部材とを備えていることを特徴とする蓋開閉装置である。
【００６８】
請求項２に記載の発明は、請求項１に記載の蓋開閉装置において、前記ロック部材は、前記操作部材の回転操作によって回転する連動回転部と、この連動回転部に設けられて前記蓋体が前記収納部を塞いだ状態のときに前記蓋体の係合部に係合して前記蓋体をロックするロック部と、前記連動回転部に設けられて前記蓋体に対する前記ロック部によるロックが解除された際に前記蓋体を開く方向に押し上げる押上げ部とを備えていることを特徴とする蓋開閉装置である。
【００６９】
請求項３に記載の発明は、請求項２に記載の蓋開閉装置において、前記蓋体の前記係合部は前記蓋体の開閉方向に対し直交する方向に開放されて設けられた溝部を有し、前記ロック部は前記係合部の前記溝部に挿入して前記蓋体を押し下げる突起部であり、前記押上げ部は前記ロック部が前記溝部から離脱した際に前記操作部材の回転操作によって前記係合部を押し上げる突起部であることを特徴とする蓋開閉装置である。
【００７０】
請求項４に記載の発明は、請求項１〜請求項３のいずれかに記載の蓋開閉装置において、前記蓋体の外周縁部とこの外周縁部が対向する前記収納部の周縁部との一方には、前記蓋体が前記収納部を塞いだ状態のときに、前記蓋体の外周縁部とこの外周縁部が対向する前記収納部の周縁部との他方に弾接する防水パッキンが設けられていることを特徴とする蓋開閉装置である。
【００７１】
請求項５に記載の発明は、請求項１〜請求項４のいずれかに記載の蓋開閉装置において、前記操作部材は、前記機器ケースに回転可能に取り付けられて前記ロック部材を回転させるための操作回転部と、前記機器ケースの外部に露出して前記操作回転部を回転させる操作レバー部とを備えていることを特徴とする蓋開閉装置である。
【００７２】
請求項６に記載の発明は、請求項５に記載の蓋開閉装置において、前記操作部材の前記操作回転部は、前記収納部の両側に位置する前記機器ケースの側面に回転可能に設けられた回転軸と、この回転軸に設けられて前記ロック部材の前記連動回転部に前記操作レバー部の回転操作を伝える回転伝達部とを有しており、前記操作レバー部は、一端部が前記操作回転部の前記回転軸に取り付けられ、他端部が前記蓋体の回転中心に向けて突出した状態で上下方向に回転移動することを特徴とする蓋開閉装置である。
【００７３】
請求項７に記載の発明は、請求項１に記載された蓋開閉装置を備えていることを特徴とする電子機器である。
【符号の説明】
【００７４】
１  機器ケース
２  上部ケース
３  下部ケース
６  プリンタ部
７  記録紙収納部
８  印字ヘッド
９  プリンタカバー
９ａ  防水パッキン
１０  プラテンローラ
１１  蓋開閉装置
１２  回転支持軸
１３  操作部材
１４  ロック部材
１５  操作回転部
１５ａ  回転軸
１５ｂ  回転伝達板
１６  操作レバー部
１７  連動回転部
１８  係合部
１８ａ  溝部
２０  ロック部
２１  押上げ部
２２  記録紙排出口
【図１】
2013157465.tif 000003
【図２】
2013157465.tif 000004
【図３】
2013157465.tif 000005
【図４】
2013157465.tif 000006
【図５】
2013157465.tif 000007
【図６】
2013157465.tif 000008
【図７】
2013157465.tif 000009
【手続補正書】
【提出日】平成24年12月21日(2012.12.21)
【手続補正２】
【補正対象書類名】特許請求の範囲
【補正対象項目名】全文
【補正方法】変更
【補正の内容】
【特許請求の範囲】
【請求項１】
機器ケースに回転可能に取り付けられ、前記機器ケースに設けられた収納部を開閉可能に塞ぐ蓋体と、
前記機器ケースに回転操作可能に取り付けられ、前記機器ケースの外部に露出する操作部材と、
前記収納部を塞いだ状態の前記蓋体をロックし、且つ前記操作部材の回転操作によって前記蓋体に対するロックを解除した際に、前記蓋体を開く方向に押し上げるロック部材と、
を備えていることを特徴とする電子機器。
【請求項２】
前記ロック部材は、前記操作部材の回転操作によって回転する連動回転部と、この連動回転部に設けられて前記蓋体が前記収納部を塞いだ状態のときに前記蓋体の係合部に係合して前記蓋体をロックするロック部と、前記連動回転部に設けられて前記蓋体に対する前記ロック部によるロックが解除された際に前記蓋体を開く方向に押し上げる押上げ部とを備えていることを特徴とする請求項１に記載の電子機器。
【請求項３】
前記蓋体の前記係合部は、前記蓋体の開閉方向に対し直交する方向に開放されて設けられた溝部を有し、前記ロック部は前記係合部の前記溝部に挿入して前記蓋体を押し下げる突起部であり、前記押上げ部は、前記ロック部が前記溝部から離脱した際に前記操作部材の回転操作によって前記係合部を押し上げる突起部であることを特徴とする請求項２に記載の電子機器。
【請求項４】
前記蓋体と前記収納部の一方は、防水パッキンを備え、前記防水パッキンは、前記蓋体の外周縁部とこの外周縁部に対応する前記収納部の周縁部との一方に設けられ、前記蓋体が前記収納部を塞いだ状態のときに、前記蓋体の外周縁部とこの外周縁部に対応する前記収納部の周縁部との他方に弾接することを特徴とする請求項１〜３のいずれかに記載の電子機器。
【請求項５】
前記操作部材は、前記機器ケースに回転可能に取り付けられて前記ロック部材を回転させるための操作回転部と、前記機器ケースの外部に露出して前記操作回転部を回転させる操作レバー部とを備えていることを特徴とする請求項１〜４のいずれかに記載の電子機器。
【請求項６】
前記操作部材の前記操作回転部は、前記収納部の両側に位置する前記機器ケースの側面に回転可能に設けられた回転軸と、この回転軸に設けられて前記ロック部材の前記連動回転部に前記操作レバー部の回転操作を伝える回転伝達部とを有しており、前記操作レバー部は、一端部が前記操作回転部の前記回転軸に取り付けられ、他端部が前記蓋体の回転中心に向けて突出した状態で上下方向に回転移動することを特徴とする請求項５に記載の電子機器。
【手続補正３】
【補正対象書類名】明細書
【補正対象項目名】０００１
【補正方法】変更
【補正の内容】
【０００１】
この発明は、携帯情報端末機や小型電子式計算機などの電子機器に関する。
【手続補正４】
【補正対象書類名】明細書
【補正対象項目名】００１０
【補正方法】変更
【補正の内容】
【００１０】
この発明が解決しようとする課題は、蓋体の開閉操作性が良い電子機器を提供することである。
【手続補正５】
【補正対象書類名】明細書
【補正対象項目名】００１１
【補正方法】変更
【補正の内容】
【００１１】
この発明は、機器ケースに回転可能に取り付けられ、前記機器ケースに設けられた収納部を開閉可能に塞ぐ蓋体と、前記機器ケースに回転操作可能に取り付けられ、前記機器ケースの外部に露出する操作部材と、前記収納部を塞いだ状態の前記蓋体をロックし、且つ前記操作部材の回転操作によって前記蓋体に対するロックを解除した際に、前記蓋体を開く方向に押し上げるロック部材と、を備えていることを特徴とする電子機器である。